(57)【要約】【課題】容易に複数の再生器にデータを再生させると共に、再生制御装置の構成の自由度を向上させることを目的とする。【解決手段】モニター７それぞれに接続される制御装置３および制御装置５に映像データが記憶され、各制御装置５は指示情報のみを受信し、受信した指示情報に応じて記憶された映像データをモニター７に再生させる。そのため、離れたモニター７に大容量の映像データを再生させる場合であっても、中継器や変換器等を設けることなく、簡易な構成で複数のモニター７に映像データを再生させることができる。【選択図】図１
2019106654.tif 000002
【特許請求の範囲】
【請求項１】
再生情報を再生する再生器に接続可能な複数の制御装置を有し、
通信回線を介して、複数の前記制御装置間でデータ通信可能となるものであり、
前記制御装置は、
前記再生情報が記憶される記憶装置と、
前記再生器との接続に用いられて前記再生情報を送信するデータ出力端子と、
前記通信回線と接続される通信端子と、
入力装置が接続される入力端子と
を備え、
一部の前記制御装置は接続された前記入力装置を介して前記制御装置それぞれがどのように前記再生情報を再生するかを指示する指示情報が入力されると共に、他の前記制御装置それぞれに前記指示情報を前記通信回線を介して送信し、
他の前記制御装置は受信した前記指示情報に応じて前記再生情報を再生する
ことを特徴とする再生制御装置。
【請求項２】
前記記憶装置は、前記制御装置に着脱可能であることを特徴とする請求項１記載の再生制御装置。
【請求項３】
前記入力装置は、テンキーであることを特徴とする請求項１または請求項２に記載の再生制御装置。
【請求項４】
一部の前記制御装置は主制御装置であり、他の前記制御装置は副制御装置であり、
前記入力端子は、前記主制御装置にのみに設けられ、
前記主制御装置は、前記指示情報の入力する機能及び前記再生情報を再生する機能を備え、
前記副制御装置は、前記指示情報を入力する機能を持たず、受信した前記指示情報に応じて前記再生情報を再生する機能を備える
ことを特徴とする請求項１〜請求項３のいずれか１項に記載の再生制御装置。
【請求項５】
前記再生情報は映像データであり、前記再生器はモニターであることを特徴とする請求項１〜請求項４のいずれか１項に記載の再生制御装置。
【発明の詳細な説明】
【技術分野】
【０００１】
複数の再生器に同時に映像や音楽等を再生させる再生制御装置等に関する。
【背景技術】
【０００２】
イベントや教室等において、映像や音楽、音声等を、同時に複数のモニターやスピーカーに再生させる場合がある。
【０００３】
例えば、会場内の複数のモニターに、同時に同じ映像を再生させる場合、コンピュータから同じ映像データをそれぞれのモニターに送信し、各モニターで受信した映像データを再生していた。コンピュータは、それぞれのモニターを制御する制御装置として機能する。コンピュータは、それぞれのモニターとＨＤＭＩ（Ｈｉｇｈ−Ｄｅｆｉｎｉｔｉｏｎ  Ｍｕｌｔｉｍｅｄｉａ  Ｉｎｔｅｒｆａｃｅ：高精細度マルチメディアインターフェース）等、適宜の形式のビデオ端子やケーブルを介して接続される。
【０００４】
従来の再生制御装置は、コンピュータとそれぞれのモニターとをＨＤＭＩ形式等のビデオ端子やケーブルを介して接続し、コンピュータから映像データを送信することにより、各モニターに同じ映像データに係る映像を表示させていた。
【先行技術文献】
【特許文献】
【０００５】
【特許文献１】特開２０１７−１６７８６０号公報
【発明の概要】
【発明が解決しようとする課題】
【０００６】
しかしながら、従来の再生制御装置では、装置構成の自由度が制限される場合があった。
【０００７】
例えば、ビデオ端子やケーブルを介して映像データを送信し、複数のモニターに映像を再生させる場合、ビデオ端子やケーブルの規格により装置構成が制限される場合があった。例えばＨＤＭＩでは、規格により接続されるモニターの数に制限がある。そのため、一部のコンピュータで多くのモニターを制御する場合、モニターの数に応じて中継器を設け、接続できるモニターの数を増加させる必要があった。
【０００８】
また、ＨＤＭＩ形式のビデオ端子やケーブルでは、映像データを送信できる距離に規制がある。そのため、コンピュータから離れたモニターに映像データを送信する場合、途中に変換器を設け、ＨＤＭＩ形式のビデオ端子やケーブルでの通信からネットワーク通信に変換して映像データを送信する必要があった。この場合、変換器は、ＨＤＭＩ規格に準拠する映像データとネットワークの規格に準拠する映像データとを相互に変換する。そして、コンピュータは、ＨＤＭＩケーブルを介して変換器に映像データを出力し、変換器からネットワークを介して映像データを送信し、最後に変換器からＨＤＭＩケーブルを介してモニターに映像データを送信していた。
【０００９】
特に、ネットワークを介して映像データを送信する場合、映像データのデータ量によってはネットワーク回線の負荷が重くなり、映像データが適切に送信できず、適切に映像データを再生できない場合もあった。
【００１０】
また、中継器や変換器を介して映像データを送信している場合、モニターの数を増設する場合には、さらに中継器や変換器増設する必要も生じ、モニターの数を容易に増設することができなかった。
【００１１】
さらに、コンピュータから映像データを送信して各モニターに映像を再生させているため、モニター毎に異なる映像を再生させることが困難であった。モニター毎に異なる映像を再生させる場合、コンピュータは、映像毎に映像データを生成し、それぞれの映像を再生させたいモニターに、再生させたい映像に係る映像データを個別に送信する必要があった。そのため、コンピュータの制御が複雑となると共に、中継器や変換器のと回線の接続構成も複雑になっていた。
【００１２】
本願発明の再生制御装置は、上記問題点を解決するために、容易に複数の再生器にデータを再生させると共に、再生制御装置の構成の自由度を向上させることを目的とする。
【課題を解決するための手段】
【００１３】
上記目的を達成するために、本願発明の一実施形態における再生制御装置は、再生情報を再生する再生器に接続可能な複数の制御装置と、前記制御装置に接続されて前記制御装置間でデータ通信を可能とする通信回線とを有し、前記制御装置は、前記再生情報が記憶される記憶装置と、前記再生器との接続に用いられて前記再生情報を送信するデータ出力端子と、前記通信回線と接続される通信端子と、入力装置が接続される入力端子とを備え、一部の前記制御装置は接続された前記入力装置を介して前記制御装置それぞれがどのように前記再生情報を再生するかを指示する指示情報が入力されると共に、他の前記制御装置それぞれに前記指示情報を前記通信回線を介して送信し、他の前記制御装置は受信した前記指示情報に応じて前記再生情報を再生することを特徴とする。
【００１４】
このように、本発明の再生制御装置では、再生器それぞれに接続される制御装置に再生情報が記憶される。また、各制御装置は、指示情報のみを受信し、受信した指示情報に応じて記憶された再生情報を再生器に再生させる。そのため、離れた再生器に再生情報を再生させる場合であっても、中継器や変換器等を設けることなく、簡易な構成で複数の再生器に再生情報を再生させることができる。また、指示情報を制御装置毎に送信することにより、それぞれの再生器に、異なる再生情報を容易に再生させることができる。また、各制御装置は、ネットワーク等の通信回線に接続されるだけであるので、たとえ、再生中であっても再生器を容易に配置変更したり増設・切り離し（削減）を行うことができ、再生制御装置の構成の自由度を容易に向上させることができる。
【００１５】
また、前記記憶装置は、前記制御装置に着脱可能であることが好ましい。
【００１６】
このように、着脱可能な記憶装置を用いることにより、一部のコンピュータ等で全ての制御装置に記憶する再生情報を各記憶装置に一括して記憶させ、それぞれの制御装置に装着することができる。そのため、上述した構成によれば、各再生器に接続された制御装置に記憶される再生情報を容易に作成・変更することができる。
【００１７】
また、前記入力装置は、テンキーであっても良い。
【００１８】
再生情報が数字のみで識別され、数字のみで指示情報を構成可能である場合、テンキーから数字を入力することによって指示情報を作成することができるため、指示情報を容易に作成することができ、容易に複数の再生器に再生情報を再生させることができる。
【００１９】
また、一部の前記制御装置は主制御装置であり、他の前記制御装置は副制御装置であり、前記入力端子は、前記主制御装置にのみに設けられ、前記主制御装置は、前記入力情報を入力する際に前記入力情報を表示可能な表示器を備え、前記副制御装置は、前記指示情報を受信し、受信した前記指示情報に応じて記憶された前記再生情報を再生する機能のみを備えても良い。
【００２０】
複数の制御装置の内の１つを主制御装置とし、残りの制御装置を副制御装置とし、主制御装置が指示情報を生成して副制御装置に送信し、副制御装置が指示情報に応じて再生器に再生情報を再生させる。そして、副制御装置は入力装置が接続されず、再生情報を再生させる機能のみを有する。このような構成により、副制御装置を必要最小限の構成とすることができ、再生制御装置の構成を単純化することができる。
【００２１】
また、前記再生情報は映像データであり、前記再生器はモニターであっても良い。
【００２２】
このような構成により、複数のモニターに同時に映像を表示させる場合でも、容易に複数のモニターに映像を再生させると共に、再生制御装置の構成の自由度を向上させることができる。
【発明の効果】
【００２３】
以上により、容易に複数の再生器にデータを再生させると共に、再生制御装置の構成の自由度を向上させることができる。
【図面の簡単な説明】
【００２４】
【図１】本発明の一実施形態における再生制御装置の構成例を示す図
【図２】本発明の一実施形態における再生制御装置の制御装置の構成例を示す斜視図
【図３】本発明の一実施形態における再生制御装置の制御装置の内部構成を例示する図
【図４】本発明の一実施形態における指示情報を例示する図
【発明を実施するための形態】
【００２５】
まず、図１を用いて本発明の一実施形態における再生制御装置の構成例について説明する。
【００２６】
図１は本発明の一実施形態における再生制御装置の構成例を示す図である。
【００２７】
再生制御装置１は、複数のモニター７に様々な映像を表示させるシステムである。再生制御装置１は、映像を表示する複数のモニター７それぞれに接続可能な制御装置３および制御装置５と、制御装置３および制御装置５それぞれに装着可能なＵＳＢ（ＵＮＩＶＥＲＳＡＬ  ＳＥＲＩＡＬ  ＢＵＳ）メモリ９と、制御装置３および制御装置５が接続されるネットワーク１１とを備える。
【００２８】
制御装置３および制御装置５は、後段で図２，図３を用いて詳細に説明するように、同一の内部構成であり、同一のネットワーク１１に接続される。図１の構成においては、制御装置３および制御装置５は、複数のモニター７それぞれに１対１で接続されており、接続されたモニター７に所定の映像を表示させる。制御装置３および制御装置５とモニター７とは、ＨＤＭＩケーブル等の映像通信ケーブルで接続される。制御装置３は、制御装置５の動作を制御する。制御装置５は指示情報に基づいて動作し、指示情報は、ネットワーク１１を介して、制御装置３からそれぞれの制御装置５に送信される。なお、指示情報については、後段で図４を用いて詳細に説明する。
【００２９】
ＵＳＢメモリ９は、制御装置３および制御装置５に装着される。ＵＳＢメモリ９には、１または複数の映像データが格納される。制御装置３および制御装置５は、装着されたＵＳＢメモリ９に格納される映像データの内の１つを、接続されたモニター７に表示させることができる。それぞれのＵＳＢメモリ９は、同じ映像データが格納される。ただし、モニター７によって、そのモニター７でのみ表示する映像がある場合、そのモニター７に接続された制御装置５に装着されるＵＳＢメモリ９にのみ、その映像に対応する映像データを格納しても良い。
【００３０】
ネットワーク１１は、少なくとも制御装置３から指示情報を制御装置５に送信できる通信回線であれば良い。また、ネットワーク１１はイーサネットケーブル等の有線回路でも良いが、無線ＬＡＮ等の無線回線でも良い。また、インターネット回線を用いることもできる。
【００３１】
後に詳述する指示情報は、制御装置３および制御装置５が、装着されたＵＳＢメモリ９に格納された映像データの内、どの映像データをどの順番で表示するかを示す情報である。さらに、どのタイミングで再生を開始するかを示す情報等を含むことができ、この場合、それぞれの制御装置３および制御装置５で、より確実に同期してそれぞれの映像を表示させることができる。さらに、制御装置５それぞれに固有の識別番号等の識別情報を付与し、指示情報に、どの制御装置５にどの映像データをどの順番で表示させるかを記述しても良い。また、各映像データを数字のみで識別することができる態様でＵＳＢメモリ９に格納する場合、指示情報を数字のみで記述することができる。
【００３２】
テンキー１３は、制御装置３に接続され、制御装置３に指示情報を入力する入力装置の１つである。入力装置は、制御装置３に指示情報を入力することが可能であれば、様々の機器を用いることができる。例えば、入力装置としてキーボードを用いることができ、制御装置３に指示情報を直接書き込むことができる。あるいは、入力装置として、通信端子を用い、外部から指示情報を直接入力することもできる。指示情報が数字のみで記述可能である場合、入力装置としてテンキー１３を用いることにより、容易に指示情報を記述することが可能となる。
【００３３】
このように、本発明の一実施形態における再生制御装置１は、複数のモニター７のそれぞれに制御装置３および制御装置５が接続され、制御装置３および制御装置５はネットワーク１１を介して互いに接続される。制御装置３および制御装置５はそれぞれ１以上のＵＳＢメモリ９が装着され、各ＵＳＢメモリ９には１または複数の映像データが格納される。そして、制御装置３から各制御装置５に指示情報を送信し、制御装置３および制御装置５は、接続されるモニター７に、指示情報に応じた映像を表示させることが特徴である。
【００３４】
各モニター７が接続された制御装置３および制御装置５それぞれが、ＵＳＢメモリ９に格納された映像データを保持し、指示情報のみがネットワーク１１を介して送信される。そのため、ＨＤＭＩケーブル等のケーブルを介して制御装置３から各モニター７に映像データを直接送信する必要がない。その結果、複数のモニター７に同時に映像を表示させる場合であっても、指示情報のみの容量の小さなデータのみを通信送信して、簡易な構成で容易に映像を表示させることができる。特に、表示させる映像データのデータ量が大きな場合であっても、映像データのデータ量に影響を受けず、安定して映像を表示させることができる。
【００３５】
また、各制御装置３および制御装置５は、ネットワーク１１の通信回線に接続されるだけであるので、モニター７と制御装置３との間の距離に関係なく、中継器や変換器等を設ける必要がない。中継器や変換器等を備えないので、制御装置５をネットワーク１１に接続するだけで、たとえ映像を表示中であっても、モニター７を容易に配置変更したり増設・切り離し（削減）を行うことができ、再生制御装置１の構成の自由度を容易に向上させることができる。また、離れたモニター７に大容量の映像データを再生させる場合であっても、中継器や変換器等を設ける必要がないため、簡易な構成で複数のモニター７に映像データを再生させることができる。
【００３６】
また、ＵＳＢメモリ９は着脱可能であるため、映像データを一括管理することができる。すなわち、一部のコンピュータ等で全ての制御装置３および制御装置５に記憶する映像データを各ＵＳＢメモリ９にまとめて格納し、それぞれの制御装置３および制御装置５に装着することができる。そのため、各モニター７に接続された制御装置３および制御装置５に記憶される映像データを容易に作成・変更することができる。
【００３７】
また、映像データが数字のみで識別され、数字のみで指示情報を構成可能である場合、テンキー１３から数字を入力することによって指示情報を作成することができるため、指示情報を容易に作成することができ、容易に複数のモニター７に映像データを再生させることができる。
【００３８】
次に、図１を参照しながら、図２を用いて本発明の一実施形態における制御装置の外観構成について説明する。なお、以下の説明では代表して制御装置３について説明するが、制御装置５も同じ構成である。
【００３９】
図２は本発明の一実施形態における再生制御装置の制御装置の構成例を示す斜視図である。
【００４０】
前述された制御装置３は、外周面に、ＵＳＢ端子１５、ネットワーク端子１７、ビデオ端子１９、入力端子２１、ディスプレイ２３が設けられている。
【００４１】
ＵＳＢ端子１５には、ＵＳＢメモリ９や電源端子等が接続される。ネットワーク端子１７には、イーサネットケーブルが接続される。イーサネットケーブルはネットワークＨＵＢ（図示せず）等に接続されることにより、ネットワークが構成される。構成されたネットワークに全ての制御装置３および制御装置５が接続されることにより、制御装置３から各制御装置５に指示情報が送信可能となる。
【００４２】
データ出力端子であるビデオ端子１９には、ケーブルが接続され、制御装置３はケーブルを介してモニター７と接続される。例えば、ビデオ端子１９としてＨＤＭＩ形式の端子を採用した場合には、ＨＤＭＩケーブルがビデオ端子１９に接続され、制御装置３はＨＤＭＩケーブルを介してモニター７と接続される。入力端子２１には、キーボードやテンキー１３等の入力装置が接続される。接続されたテンキー１３等により、指示情報が記述されたり、制御装置３の設定を行い、動作の制御を行ったりすることができる。なお、入力装置はＵＳＢ端子１５に接続して動作可能なものもある。ディスプレイ２３には、指示情報を記述する際に、記述中の指示情報を表示させることができる。また、ディスプレイ２３には、制御装置３を設定・動作させる際の、各種情報を表示させることができる。
【００４３】
次に、図１を参照しながら、図２，図３を用いて本発明の一実施形態における制御装置の内部構成について説明する。なお、以下の説明では代表して制御装置３について説明するが、制御装置５も同じ構成である。
【００４４】
図３は本発明の一実施形態における再生制御装置の制御装置の内部構成を例示する図である。
【００４５】
前述された制御装置３は、ＣＰＵ２５と、ＵＳＢコントローラ２７と、ビデオコントローラ２９と、ネットワークコントローラ３１と、入力コントローラ３３と、ディスプレイコントローラ３５とを備え、これらの機器はＢＵＳ３７に接続される。ＣＰＵ２５は、ＢＵＳ３７を介してこれらの機器から必要なデータを取得し、各機器の動作を制御する。
【００４６】
ＵＳＢコントローラ２７はＵＳＢ端子１５と接続され、ＣＰＵ２５の制御に応じて、ＵＳＢ端子１５に接続されたＵＳＢメモリ９から映像データを読み出すと共に、ＵＳＢメモリ９に映像データを書き込むことが可能である。
【００４７】
ビデオコントローラ２９はビデオ端子１９と接続され、ビデオ端子１９に接続されたモニター７に映像を表示させる。ＣＰＵ２５は、指示情報に基づいてＵＳＢメモリ９から対応する映像データを取得し、ＢＵＳ３７を介してビデオコントローラ２９に送信する。ビデオコントローラ２９は、受信した映像データに応じてモニター７に映像を表示させる。
【００４８】
ネットワークコントローラ３１はネットワーク端子１７に接続され、ＣＰＵ２５の制御に応じて、ネットワーク１１を介して指示信号を送受信する。ここで、制御装置３は、主に指示情報を記述し、ネットワーク１１を介して制御装置５に指示情報を送信する。制御装置５は、主に、制御装置３が送信した指示情報を受信し、受信した指示情報に応じてモニター７に映像を表示させる。
【００４９】
入力コントローラ３３は入力端子２１に接続され、ＣＰＵ２５の制御に応じて、入力端子２１に接続された入力装置から入力される情報を受信する。例えば、入力装置は、指示情報を記述することができる。
【００５０】
ディスプレイコントローラ３５は、ＣＰＵ２５の制御に応じて、ディスプレイ２３に各種情報を表示させる。上述のように、ディスプレイ２３には、指示情報を記述する際に、記述中の指示情報を表示させることができる。また、ディスプレイ２３には、制御装置３を設定・動作させる際の、各種情報を表示させることができる。
【００５１】
次に、図１を参照しながら、図４を用いて指示情報について説明する。
【００５２】
図４は本発明の一実施形態における指示情報を例示する図である。
【００５３】
上述のように、指示情報３９には、どの映像データをどの再生順４３で再生するかが記述されている。ここで、制御装置３および制御装置５はそれぞれ固有の識別番号４１等の識別情報を有している。同様に、各映像データもそれぞれ固有の映像データ番号４５等の識別情報を有している。指示情報３９は、これらの識別情報を用いて記述される。
【００５４】
制御装置３および制御装置５は、指示情報３９に基づいて映像データに対応する映像をモニター７に再生させる。図４の例では、指示情報３９には、制御装置３または制御装置５に対応する識別番号４１と、再生する順番を示す再生順４３と、映像データを識別する映像データ番号４５とが記述されている。
【００５５】
具体的には、図４に示す指示情報３９では、識別番号４１が「１１１００１」に対応する制御装置５は、まず、映像データ番号４５が「２６」の映像データを再生し、次に、映像データ番号４５が「１４」の映像データを再生し、次に、映像データ番号４５が「０９」の映像データを再生する。同様に、識別番号４１が「１１１００２」に対応する制御装置５は、まず、映像データ番号４５が「２６」の映像データを再生し、次に、映像データ番号４５が「１４」の映像データを再生し、次に、映像データ番号４５が「０９」の映像データを再生する。全てのモニター７に同じ映像を同時に表示させる場合には、全ての識別番号４１に対応する再生順４３および映像データ番号４５に同じ内容を記述する。
【００５６】
ここで、一部のモニター７に異なる映像を表示させる場合、そのモニター７が接続される制御装置５に関する指示情報３９について、再生順４３に対する映像データ番号４５を異ならせる。例えば、図４の指示情報３９の記述の場合、識別番号４１が「１１１００３」に対応する制御装置５は、まず、映像データ番号４５が「３５」の映像データを再生し、次に、映像データ番号４５が「０７」の映像データを再生し、次に、映像データ番号４５が「１９」の映像データを再生する。
【００５７】
以上のように、本発明の一実施形態に係る再生制御装置１は、複数のモニター７のそれぞれに制御装置３および制御装置５が接続され、制御装置３および制御装置５はネットワーク１１を介して接続される。制御装置３および制御装置５はそれぞれ１以上のＵＳＢメモリ９が装着され、各ＵＳＢメモリ９には１または複数の映像データが格納される。そして、制御装置３から各制御装置５に指示情報３９を送信し、制御装置３および制御装置５は、接続されるモニター７に、指示情報３９に応じた映像を表示させることができる。
【００５８】
各モニター７が接続された制御装置３および制御装置５それぞれが、ＵＳＢメモリ９に格納された映像データを保持し、指示情報３９のみがネットワーク１１を介して送信される。そのため、ＨＤＭＩケーブル等を介して制御装置３から各モニター７に映像データを直接送信する必要がない。よって、複数のモニター７に同時に映像を表示させる場合であっても、指示情報３９のみの容量の小さなデータのみを送信して、変換器等を使わずに遠距離のモニター７に任意の映像を表示させることができ、簡易な構成で容易に映像を表示させることができる。特に、表示させる映像データのデータ量が大きな場合であっても、映像データのデータ量に影響を受けず、安定して映像を表示させることができる。
【００５９】
また、各制御装置３および制御装置５は、ネットワーク１１に接続されるだけであるので、モニター７と制御装置３との間の距離に関係なく、中継器や変換器等を設ける必要がない。中継器や変換器等を備えないので、制御装置５をネットワーク１１に接続するだけで、モニター７を容易に配置変更したり増設を行うことができる。そのため、必要なモニター７の数に応じて柔軟にモニター７の数を増設でき、再生制御装置１の構成の自由度を容易に向上させることができる。また、ネットワーク１１のみを介して制御装置５を制御できるので、中継器や変換器等を必要としない簡易な装置構成とすることができるので、制御装置５の増設や切り離し、配置変更等を行う際に、他の制御装置３および制御装置５を停止する必要がない。そのため、すでに再生制御装置１が稼働中で映像を表示している状態であったとしても、制御装置５の構成を容易に変更し、モニター７の配置変更や増設・削除を容易に行うことが可能である。また、離れたモニター７に大容量の映像データを再生させる場合であっても、中継器や変換器等を設ける必要がないため、簡易な構成で複数のモニター７に映像データを再生させることができる。
【００６０】
また、ＵＳＢメモリ９は着脱可能であるため、映像データを一括管理することができる。すなわち、一部のコンピュータ等で全ての制御装置３および制御装置５に記憶する映像データを各ＵＳＢメモリ９にまとめて格納し、それぞれの制御装置３および制御装置５に装着することができる。そのため、各モニター７に接続された制御装置３および制御装置５に記憶される映像データを容易に作成・変更・削除することができる。
【００６１】
また、映像データが数字のみで識別され、数字のみで指示情報３９を構成可能である場合、テンキー１３から数字を入力することによって指示情報３９を作成することができる。そのため、指示情報３９を容易に作成することができ、容易に複数のモニター７に映像データを再生させることができる。
【００６２】
なお、制御装置３を主制御装置、制御装置５を副制御装置としても良い。主制御装置は指示情報３９を作成し、副制御装置に指示情報３９を送信する専用機である。また、副制御装置は、指示情報３９を受信して、指示情報３９に対応してモニター７に映像を表示させる機能のみを備える。その場合、制御装置３は、少なくとも、制御装置５に指示情報３９を送信する機能のみを備え、ネットワーク１１および入力端子にのみ接続できれば良い。そのため、制御装置３は、外部端子として、ＵＳＢ端子１５およびビデオ端子１９を備えず、少なくともネットワーク端子１７および入力端子２１を備えれば良い。また、制御装置３は、内部回路として、ＣＰＵ２５とＢＵＳ３７以外に、少なくともネットワークコントローラ３１、入力コントローラ３３および指示情報３９を記憶する記憶装置を備えれば良い。逆に、制御装置５は、モニター７、ＵＳＢメモリ９およびネットワーク１１に接続可能であれば良い。そのため、制御装置５は、外部端子として、少なくともＵＳＢ端子１５、ネットワーク端子１７およびビデオ端子１９を備えれば良い。また、制御装置５は、内部回路として、ＣＰＵ２５とＢＵＳ３７以外に、少なくともＵＳＢコントローラ２７、ネットワークコントローラ３１およびビデオコントローラ２９を備えれば良い。また、制御装置５には、ディスプレイ２３およびディスプレイコントローラ３５がなくても良い。
【００６３】
このように、複数の制御装置３を主制御装置とし、制御装置５を副制御装置とする。主制御装置が指示情報３９を生成して副制御装置に送信し、副制御装置が指示情報３９に応じてモニター７に映像を表示させる。そして、主制御装置は、指示情報３９を入力し、指示情報３９を送信する機能のみを備える。副制御装置は入力装置が接続されず、受信した指示情報３９に応じて、再生情報を再生させる機能のみを有する。このような構成により、主制御装置および副制御装置を必要最小限の構成とすることができ、再生制御装置１の構成を単純化することができる。
【００６４】
また、ＵＳＢメモリ９に限らず、他の着脱可能な記憶装置を制御装置３および制御装置５に接続させても良い。さらに、制御装置３および制御装置５に、映像データを記憶する記憶装置を内蔵させても良い。
【００６５】
このように、映像データを記憶する記憶装置として、様々な記憶装置を用いることにより、再生制御装置１の構成の自由度を、より容易に向上させることができる。
【００６６】
また、制御装置５に複数のモニター７を接続しても良い。これらのモニター７は、同じ制御装置５に制御されるため、一部（本実施形態では一つ）の制御装置５に接続されたモニター７は同じ映像が表示される。この場合、制御装置５に複数のビデオ端子１９が設けられる。
【００６７】
このように、制御装置５に複数のモニター７を接続することを可能とすることで、制御装置５の数を必要最小限に抑え、複数のモニター７が接続される再生制御装置１を、より簡単な構成で実現することができ、再生制御装置１の構成の自由度を、より容易に向上させることができる。
【００６８】
また、本発明の一実施形態における再生制御装置１は、ＨＤＭＩ形式のビデオ端子やケーブルを介して制御装置３および制御装置５とモニター７とを接続することに限定されず、例えばＵＳＢ  Ｔｙｐｅ−Ｃ形式の端子等、他の映像出力インターフェースを用いて接続することができる。また、再生制御装置１は、映像に限らず音楽や音声の再生を行うことも可能である。この場合、再生情報として、映像データの他に音楽データや音声データを用いることができる。音楽や音声を再生させる場合は、再生器としてモニター７に代えてスピーカー等が制御装置３および制御装置５に接続される。
【００６９】
これにより、様々なデータを容易に再生することができる。
【符号の説明】
【００７０】
１    再生制御装置
３    制御装置
５    制御装置
７    モニター
９    ＵＳＢメモリ
１１    ネットワーク
１３    テンキー
１５    ＵＳＢ端子
１７    ネットワーク端子
１９    ＨＤＭＩ端子
２１    入力端子
２３    ディスプレイ
２５    ＣＰＵ
２７    ＵＳＢコントローラ
２９    ＨＤＭＩコントローラ
３１    ネットワークコントローラ
３３    入力コントローラ
３５    ディスプレイコントローラ
３７    ＢＵＳ
３９    指示情報
４１    識別番号
４３    再生順
４５    映像データ番号
【図１】
2019106654.tif 000003
【図２】
2019106654.tif 000004
【図３】
2019106654.tif 000005
【図４】
2019106654.tif 000006